(57)【要約】【課題】電源と負荷との間に介装されるコネクタ型の電源遮断装置を小型化する。【解決手段】一対の雌端子３３が収容された受けコネクタ３と、一対の雌端子３３間を導通させる雄端子４５が収容されたプラグコネクタ４と、受けコネクタ３とプラグコネクタ４を嵌合及び離脱させる操作レバー５と、受けコネクタとプラグコネクタの嵌合状態を検知する嵌合検知コネクタ８（６，７）とを備え、嵌合検知コネクタは、受けコネクタ３のハウジングの側壁に突出された筒体６１内に一対の嵌合検知端子６２を収容した嵌合検知受けコネクタ６と、一対の嵌合検知端子間を導通させる導電部材（７１，７３）を筒体７２内に収容した嵌合検知プラグコネクタ７とを有し、嵌合検知プラグコネクタ７を操作レバーの先端部に設け、受けコネクタ３とプラグコネクタ４が嵌合された位置で操作レバー５をスライドして、嵌合検知プラグコネクタ７が嵌合検知受けコネクタ６に嵌合可能に形成したことを特徴とする。【選択図】  図１
2014146451.tif 000002
【特許請求の範囲】
【請求項１】
電源回路に介装される一対の主端子が収容された受けコネクタと、前記受けコネクタに嵌合可能に形成され前記一対の主端子間を導通させる導電部材が収容されたプラグコネクタと、前記受けコネクタと前記プラグコネクタを嵌合及び離脱させる操作レバーと、前記受けコネクタと前記プラグコネクタの嵌合状態を検知する嵌合検知コネクタとを備えてなり、
前記操作レバーは、前記プラグコネクタに回転可能に軸支されるとともに前記受けコネクタに連係された脚部を有し、前記受けコネクタに前記プラグコネクタが離脱される第１の位置と、嵌合される第２の位置との間で回転可能に、かつ前記第２の位置で嵌合方向と直交する方向にスライド可能に設けられ、
前記嵌合検知コネクタは、前記受けコネクタのハウジングの側壁を貫通させて突出された筒体内に一対の嵌合検知端子を収容して形成された嵌合検知受けコネクタと、前記一対の嵌合検知端子間を導通させる導電部材を筒体内に収容して形成された嵌合検知プラグコネクタとを有し、前記嵌合検知プラグコネクタは、前記操作レバーを前記第２の位置でスライドして前記嵌合検知受けコネクタに嵌合可能に前記操作レバーの先端部に設けられている電源遮断装置。
【請求項２】
前記受けコネクタのハウジングの外周面にフランジを形成し、該フランジを介して電気箱に固定手段により固定するようにし、前記電気箱と前記フランジの対向する面の前記固定手段よりも前記ハウジング側に位置させて環状の防水パッキンを挟持し、
前記プラグコネクタのハウジングの外周縁に前記受けコネクタのハウジングの上端周縁に被冠されるカバー筒部を形成して、前記カバー筒部と前記受けコネクタのハウジングの上端周縁との間に防水パッキンを装着し、
前記嵌合検知受けコネクタと前記嵌合検知プラグコネクタのいずれか一方の筒体の内周面又は外周面に防水パッキンを装着してなる請求項１に記載の電源遮断装置。
【発明の詳細な説明】
【技術分野】
【０００１】
本発明は、電源遮断装置に係り、具体的には、電源と負荷との間に介装されるコネクタ型の電源遮断装置に関する。
【背景技術】
【０００２】
一般に、負荷に電源を供給する電源回路にコネクタが備えられている場合、そのコネクタを離脱させることにより、負荷から電源を切り離して安全に負荷の点検、保守等をすることが可能である。しかし、コネクタの着脱により電源を遮断する際に負荷によっては、離脱するプラグコネクタと受けコネクタのコネクタ端子間にアークが発生し、コネクタ端子等を損傷させることがある。そこで、コネクタの嵌合を離脱させる時には、コネクタの離脱操作に時間差を設けて２段階で行うようにしている。つまり、コネクタが嵌合状態から離脱状態に移行させる動作を検知し、検知信号により電源回路に介装されたリレー接点を開放して電源を遮断し、その後にコネクタを離脱可能にする電源遮断装置が提案されている（例えば、特許文献１）。
【０００３】
同文献に記載の電源遮断装置は、電源回路に介装されるコネクタのプラグコネクタに操作レバーを回転可能に軸支させるとともに、操作レバーを受けコネクタに連係させて、受けコネクタとプラグコネクタが離脱される第１の位置と、嵌合される第２の位置との間で操作レバーを回転させるようにしている。また、コネクタの離脱操作を検知するために、コネクタが嵌合された状態の操作レバーの第２の位置で、操作レバーを嵌合方向とは異なる方向にスライド可能に形成し、操作レバーをスライドした第３の位置において互いに嵌合する嵌合検知プラグコネクタと嵌合検知受けコネクタからなる嵌合検知コネクタを、操作レバーと受けコネクタとに設けている。
【０００４】
したがって、嵌合検知コネクタが嵌合されると嵌合検知信号がオンになって、電源回路の制御回路のリレーがオンされ、電源回路のコネクタを介して負荷に電源が供給される。逆に、操作レバーを第３の位置から第２の位置にスライドさせてコネクタを離脱する操作に移行すると、嵌合検知コネクタの嵌合が離脱されて、嵌合検知コネクタの嵌合検知信号がオフになり、電源回路の制御回路のリレーがオフされるので、電源回路のコネクタが嵌合された状態でも負荷への電源供給が遮断される。これにより、操作レバーを第２の位置から第１の位置に回転してコネクタを離脱させても、電源回路のコネクタの離脱によるアークの発生を確実に防止できる。
【０００５】
一方、電源回路のコネクタを係合する場合は、離脱時のようなアーク発生の問題はないが、負荷によっては電源回路のコネクタ端子同士の接触時に突入電流が流れて、コネクタ端子が損傷を受けるおそれがある。この点、同文献１の電源遮断装置によれば、嵌合検知コネクタが嵌合されていない操作レバーの第２の位置、つまり電源回路のリレー接点が開放されている位置で、電源回路のコネクタが無電圧状態で嵌合されるから、負荷の突入電流によるコネクタ端子の損傷を防止できる。
【先行技術文献】
【特許文献】
【０００６】
【特許文献１】特開２００３−１００３８３号公報
【発明の開示】
【発明が解決しようとする課題】
【０００７】
しかしながら、特許文献１に記載された電源遮断装置は、さらに小型化する余地がある。つまり、受けコネクタを収容するハウジングの長手方向側面の外側に沿わせて嵌合検知受けコネクタを設け、これに嵌合する嵌合検知プラグコネクタを操作レバーの側方に設けているから、電源遮断装置の短手方向の外幅が大きくなってしまう。また、特許文献１に記載された電源遮断装置は、防水構造については配慮されていない。
【０００８】
本発明が解決しようとする課題は、電源と負荷との間に介装されるコネクタ型の電源遮断装置を小型化することにある。
【課題を解決するための手段】
【０００９】
上記の課題を解決するため、本発明は、電源回路に介装される一対の主端子が収容された受けコネクタと、前記受けコネクタに嵌合可能に形成され前記一対の主端子間を導通させる導電部材が収容されたプラグコネクタと、前記受けコネクタと前記プラグコネクタを嵌合及び離脱させる操作レバーと、前記受けコネクタと前記プラグコネクタの嵌合状態を検知する嵌合検知コネクタとを備えてなり、前記操作レバーは、前記プラグコネクタに回転可能に軸支されるとともに前記受けコネクタに連係された脚部を有し、前記受けコネクタに前記プラグコネクタが離脱される第１の位置と、嵌合される第２の位置との間で回転可能に、かつ前記第２の位置で嵌合方向と直交する方向にスライド可能に設けられ、前記嵌合検知コネクタは、前記受けコネクタのハウジングの側壁を貫通させて突出された筒体内に一対の嵌合検知端子を収容して形成された嵌合検知受けコネクタと、前記一対の嵌合検知端子間を導通させる導電部材を筒体内に収容して形成された嵌合検知プラグコネクタとを有し、前記嵌合検知プラグコネクタは、前記操作レバーを前記第２の位置でスライドして前記嵌合検知受けコネクタに嵌合可能に前記操作レバーの先端部に設けられている電源遮断装置を提案する。
【００１０】
このように、本発明によれば、操作レバーの先端部に嵌合検知プラグコネクタを設け、嵌合検知受けコネクタを受けコネクタハウジングの短手方向の側壁を貫通させて突出した筒体内に設けたことから、電源遮断装置の短手方向の幅は受けコネクタ及びプラグコネクタの同方向の幅とほぼ同じになり、電源遮断装置を小型化することができる。
【００１１】
また、本発明の電源遮断装置によれは、簡素な防水構造により防水機能を備えることができる。具体的には、（１）前記受けコネクタのハウジングを、防水構造の電源回路及びリレー接点を有する制御回路が収容された電気箱に直接取り付ける場合、前記受けコネクタのハウジングの外周面にフランジを形成し、そのフランジを介して電気箱にボルトなどの固定手段で固定するようにし、前記電気箱と前記フランジの対向する面の前記固定手段よりも前記ハウジング側に位置させて環状の防水パッキンを挟持させることが望ましい。これにより、受けコネクタ内に設けられる複数の主端子と、それらの主端子に接続されて電気箱側に引き出される電線引出部、及び嵌合検知コネクタの嵌合検知端子に接続されて電気箱側に引き出される嵌合検知信号配線の引出部を、一括して防水構造で形成することができる。
【００１２】
さらに、（２）前記プラグコネクタのハウジングの外周縁に前記受けコネクタのハウジングの上端周縁に被冠されるカバー筒部を形成し、前記カバー筒部と前記受けコネクタのハウジングの上端周縁との間に防水パッキンを装着させることが望ましい。これにより、コネクタを構成する受けコネクタとプラグコネクタのハウジング同士の嵌合部を防水構造にすることができる。
【００１３】
さらに、（３）前記嵌合検知受けコネクタと前記嵌合検知プラグコネクタのいずれか一方の筒体の内周面又は外周面に互いの筒体間に防水パッキンを装着させることが望ましい。これによれば、嵌合検知コネクタ自体を防水構造にすることができる。このように、（１）〜（３）の簡素な防水構造を採用するだけで、電源遮断装置を大型化することなく防水を図ることができる。
【発明の効果】
【００１４】
本発明によれば、電源と負荷との間に介装されるコネクタ型の電源遮断装置を小型化することができる。
【図面の簡単な説明】
【００１５】
【図１】本発明の一実施形態のコネクタ型電源遮断装置のコネクタを離脱した状態における斜視全体図である。
【図２】本発明のコネクタ型電源遮断装置を適用する一例の電源回路図である。
【図３】図１のプラグコネクタの詳細図であり、（ａ）は正面図、（ｂ）は側面図、（ｃ）は上面図である。
【図４】プラグコネクタの下面図である。
【図５】（ａ）は図４の矢印Ｖａ−Ｖａにおける断面矢視図、（ｂ）は図４の矢印Ｖｂ−Ｖｂにおける断面矢視図である。
【図６】図３（ａ）の線ＶI−ＶIにおける断面図である。
【図７】（ａ）は図３（ａ）の線ＶIIａ−ＶIIａにおける断面図、（ｂ）は図７（ａ）の矢印ＶIIｂ−ＶIIｂから見た図である。
【図８】図１の受けコネクタの詳細図であり、（ａ）は正面図、（ｂ）は側面図、（ｃ）は断面図である。
【図９】受けコネクタの下面図である。
【図１０】図８（ａ）の線Ｘ−Ｘにおける断面図である。
【図１１】図１の一実施形態の電源遮断装置のコネクタの嵌合操作を説明する図であり、（ａ）は第１の位置（嵌合準備状態）における正面図、（ｂ）は第１の位置（嵌合準備状態）における断面図、（ｃ）は第２の位置（嵌合完了状態）における断面図、（ｄ）は第３の位置（使用状態）における断面図である。
【発明を実施するための形態】
【００１６】
以下、本発明のコネクタ型の電源遮断装置の一実施形態を、図１〜図１１を参照して説明する。本実施形態の電源遮断装置１の概要構成は、図１に示すように、電源回路に介装されるコネクタ２を備えて形成されている。コネクタ２は、一対の主端子が収容された受けコネクタ３と、受けコネクタ３に嵌合可能に形成され、一対の主端子間を導通させる導電部材が収容されたプラグコネクタ４を有して構成されている。受けコネクタ３とプラグコネクタ４を嵌合及び離脱させる操作レバー５と、受けコネクタ３とプラグコネクタ４の嵌合状態を検知する嵌合検知受けコネクタ６と嵌合検知プラグコネクタ７からなる嵌合検知コネクタ８を備えて形成されている。そして、プラグコネクタ４を図示矢印Ａの方向に移動させて受けコネクタ３にプラグコネクタ４の先端部を押し込んだ第１の位置で、操作レバー５の脚部５１に設けられたガイド溝５３が、プラグコネクタ４の側面に設けられた軸部５０に係合して、操作レバー５がプラグコネクタ４に回転可能に軸支される。また、操作レバー５の脚部５１には、受けコネクタ３の側面に突出して形成された軸部３１に係合されるガイド溝５４が形成されている。これにより、操作レバー５を図示矢印Ｂの方向に回転して、操作レバー５の脚部５１が図において水平な位置（第２の位置）に至ると、プラグコネクタ４は操作レバー５の脚部５１に連係された受けコネクタ３側（図示矢印Ａの方向）に移動して嵌合されるようになっている。
【００１７】
さらに、操作レバー５は、受けコネクタ３にプラグコネクタ４が嵌合される第２の位置で、嵌合方向と直交する方向であるプラグコネクタ４の長手方向にスライド可能に設けられている。一方、受けコネクタ３とプラグコネクタ４の嵌合状態を検知する嵌合検知コネクタ８は、受けコネクタ３の短軸側面に設けられた嵌合検知受けコネクタ６と、操作レバー５の先端部に支持された嵌合検知プラグコネクタ７から構成されている。そして、操作レバー５を第２の位置において、図示矢印Ｃ方向にスライドすることにより、嵌合検知プラグコネクタ７が嵌合検知受けコネクタ６に嵌合及び離脱されるようになっている。
【００１８】
本実施形態の電源遮断装置１は、例えば、図２に示す負荷９に電源を供給する電源回路１０に介装して用いられる。電源回路１０は、電源１１からリレー１２とスイッチＳＷ１を介して負荷９に電力を供給するようになっている。リレー１２は、電磁コイル１２ａにより開閉されるリレー接点１２ｂを備え、電磁コイル１２ａは制御電源１２ｃを有する励磁回路１３に介装された機械的なスイッチＳＷ２により駆動されるようになっている。スイッチＳＷ１は、電源回路１０に介装される一対の主端子と、これらの主端子間を導通させる導電部材である可動接点を有して形成され、スイッチＳＷ２はリレー１２の励磁回路１３に介装される一対の制御端子と、この一対の制御端子間を導通させる導電部材である可動接点を有して形成されている。ここで、機械的なスイッチＳＷ１，ＳＷ２として、本実施形態の電源遮断装置１を用いることができる。つまり、スイッチＳＷ１にコネクタ２を用い、スイッチＳＷ２に嵌合検知コネクタ８を用いることができる。なお、図２の電源回路は一例であり、これに限られるものではない。
【００１９】
次に、図３〜図８を参照して、プラグコネクタ４、操作レバー５及び嵌合検知プラグコネクタ７の構成を説明する。プラグコネクタ４は、図３において下面が開口された樹脂製のハウジング４１を有して形成され、ハウジング４１の下部は後述する筒状に形成された受けコネクタ３に挿入される嵌合部である。ハウジング４１の上端は、図５、図６に示すように、カバー４２により密閉されている。また、カバー４２の外周縁からハウジング４１の上端部に沿って垂下させたカバー筒部４３が形成され、カバー筒部４３は受けコネクタ３の上端周縁に被冠されるようになっている。ハウジング４１内には、棒状の二対の雄端子４５がそれぞれ円筒状の仕切壁４６内に収容されて、互いに絶縁支持されている。それぞれの雄端子４５は、図５、図６に示すように、頂部を仕切壁４６よりも上部のカバー４２内の空間に位置させて設けられ、各対の雄端子４５の頂部に２枚重ねの導体４７を渡し、それぞれの雄端子４５の頂部にボルト４８で固定して、各対の雄端子４５が互いに導通されている。そして、ハウジング４１の上端のカバー筒部４３に対向するカバー４２の筒面の外周に、筒状の防水パッキン４９が装着されている。なお、本実施形態では、二対の雄端子４５を備えた例を示しているが、本発明はこれに限られるものではなく、少なくとも一対の雄端子４５を備えたコネクタに適用できる。
【００２０】
操作レバー５は、プラグコネクタ４の長手方向の側面を挟んで設けられた一対の平板状の脚部５１と、脚部５１の上端部を連結して形成された操作部５２を有して形成されている。一対の脚部５１には、操作レバー５の長手方向に伸延されたガイド溝５３が形成され、ガイド溝５３にはプラグコネクタ４の上部のカバー筒部４３の両側面に突出して形成された一対の軸部５０が挿入されている。これにより、操作レバー５は、図１の図示矢印Ｂのように、軸部５０の周りに回転可能に、プラグコネクタ４に軸支されている。また、一対の脚部５１には、操作レバー５の長手方向に伸延されたガイド溝５４が形成されている。このガイド溝５４には、後述する受けコネクタ３の長手方向の両側面に突出して形成された一対の軸部３１が挿入される。すなわち、操作レバー５の脚部５１はガイド溝５４を介して受けコネクタ３に連係されている。また、軸部５０は、円柱の対向する円弧部を削った扁平な断面を有して形成され、これに対応して、ガイド溝５３の図において下端部は、Ｌ字型の段部を有し、かつ操作レバー５の回転を妨げない形状に形成されている。また、ガイド溝５３の長手方向の溝幅は、軸部５０の扁平部の厚みに対応させた寸法に形成されている。これにより、操作レバー５は、図１及び図２の状態（第１の位置）で安定してプラグコネクタ４に支持されるようになっている。
【００２１】
また、操作レバー５の操作部５２の裏面側、つまり操作レバー５を回転して操作レバー５の上面が、プラグコネクタ４の上面とほぼ平行になる位置（第２の位置）における下面側に突出させて支持アーム５５が設けられている。支持アーム５５に嵌合検知プラグコネクタ７が取り付けられている。嵌合検知プラグコネクタ７の取り付けの向きは、図１に示すように、コネクタ開口が第２の位置で図１に示す嵌合検知受けコネクタ６のコネクタ開口に対向するように取り付けられている。嵌合検知プラグコネクタ７は、図７に示すように、嵌合検知受けコネクタ６に設けられた後述する一対の嵌合検知端子に接触可能に形成された一対の雄端子７１を断面矩形の筒体７２に収容して形成されている。一対の雄端子７１は、導体７３に共通に接続されている。すなわち、一対の雄端子７１と導体７３により、嵌合検知受けコネクタ６の一対の嵌合検知端子間を導通させる導電部材が形成されている。筒体７２は後述する嵌合検知プラグコネクタ７の筒体内に挿入可能に形成され、外周面に形成された凹溝７４内に筒状の防水パッキン７５が装着されている。
【００２２】
ここで、図８〜図１０を参照して、受けコネクタ３の詳細な構成について説明する。それらの図に示すように、受けコネクタ３は、胴部が長方形の短辺（短軸）部を円形にした断面を有して筒状に形成されたハウジング３０を備えている。ハウジング３０の上面は開口され、プラグコネクタ４が挿入されるようになっている。ハウジング３０の底部空間には、樹脂製の円筒状の仕切壁３２が形成され、仕切壁３２内に主端子である複数の雌端子３３ａ〜ｄが設けられている。それぞれの雌端子３３ａ〜ｄは、同一の形状に形成されており、円柱をくりぬいた形状の導電部材３４に、複数のばね部材から形成した円筒状の雌電極３５を収容して形成されている。導電部材３４の下端部には、負荷９とリレー１２に接続される図示していない電線のリード部が挿入されて接続されるようになっている。そして、プラグコネクタ４の雄端子４５の導通関係に合わせて、雌端子３３ａ、３３ｂが一対とされ、雌端子３３ｃ、３３ｄが他の一対とされている。
【００２３】
一方、嵌合検知受けコネクタ６は、受けコネクタ３のハウジング３０の短辺（短軸）側の側壁を貫通させて突出された断面矩形の筒体６１と、筒体６１内に一対の嵌合検知端子６２を収容して形成されている。なお、筒体６１の内面寸法は、嵌合相手の嵌合検知プラグコネクタ７の筒体７２の外面寸法に合わせて形成されている。一対の嵌合検知端子６２には、絶縁被覆された信号配線６３のリード線がそれぞれ接続されている。信号配線６３は、ハウジング３０の底部から引き出され、図示していない、電気箱内に設けられた電源回路のリレーに信号線コネクタ６４を介して接続されるようになっている。なお、嵌合検知受けコネクタ６と嵌合検知プラグコネクタ７からなる嵌合検知コネクタ８は、主端子である雌端子３３が二対の場合であっても、１つの嵌合検知信号を出力できればよい。また、必要な場合は、二対の雌端子３３を別々のリレー接点でインターロックする場合は、嵌合検知受けコネクタ６の嵌合検知端子を二対（２回路分）設け、これに合わせて嵌合検知プラグコネクタ７の導電部材を二対設ければよい。
【００２４】
このように形成された受けコネクタ３は、ハウジング３０の下部の外周面に突出して形成されたフランジ６５のボルト穴６６に挿通するボルトなどの固定手段により、図示していない電気箱に固定されるようになっている。ボルト穴６６には、金属製のカラーリング６６ａが嵌装されている。また、フランジ６５の下面には、ボルト穴６６のハウジング３０側に位置させて、ハウジング３０の下部３０ａを取り囲んで形成された溝６７内に防水パッキン６８が装着されている。
【００２５】
このように構成される本実施形態の電源遮断装置１の操作手順について、図１１を参照して説明する。同図（ａ）、（ｂ）は、操作レバー５が第１の位置にある状態を示している。この第１の位置では、受けコネクタ３にプラグコネクタ４の下部を押し込んだ状態であるが、コネクタ２としては離脱した状態である。このとき、操作レバー５の脚部５１は、ガイド溝５３の下端がプラグコネクタ４の軸部５０に位置され、ガイド溝５４の下端部が受けコネクタの軸部３１に位置して係合されている。
【００２６】
図１１（ｃ）は、操作レバー５を矢印Ｂ方向に回転して、操作レバー５の上面をプラグコネクタ４の上面に平行の状態である第２の位置に操作した状態を示している。この回転により、操作レバー５は軸部５０を中心に回転され、ガイド溝５４に係合された軸部３１側にプラグコネクタ４を押下げる方向の力が作用する。これにより、プラグコネクタ４の雄端子４５が受けコネクタ３の雌端子３３内に挿入され、図２に示したスイッチＳＷ１が閉じられる。
【００２７】
次に、図１１（ｄ）に示すように、操作レバー５を矢印Ｃ方向にスライドする。つまり、軸部５０がガイド溝５３に沿ってスライドし、軸部３１がガイド溝５４に沿ってスライドする。そして、操作レバー５が図示位置である第３の位置に達すると、嵌合検知コネクタ８を構成する嵌合検知受けコネクタ６と嵌合検知プラグコネクタ７が嵌合される。これにより、嵌合検知受けコネクタ６の一対の雌端子６２が、嵌合検知プラグコネクタ７の雄端子７１により導通され、図２に示したスイッチＳＷ２が閉じられる。
【００２８】
以上説明したように、本実施形態によれば、嵌合検知プラグコネクタ７を操作レバー５の先端部に設け、かつ、嵌合検知受けコネクタ６を受けコネクタ３のハウジング３０の短手（短軸）側の側壁を貫通させて突出された筒体６１内に設けたことから、電源遮断装置１の短手方向の幅を大幅に小さくできる。つまり、嵌合検知受けコネクタ６と嵌合検知プラグコネクタ７を、受けコネクタ３と操作レバー５の長手方向の端部に設けたことから、電源遮断装置１の幅を小さくして小型化することができる。
【００２９】
また、本実施形態によれば、受けコネクタ３のハウジング３０を、防水構造の電源回路及びリレー接点を有する制御回路が収容された電気箱に直接取り付ける場合、受けコネクタ３のハウジング３０の下部外周面にフランジ６５を形成し、フランジ６５を介して電気箱にボルトなどの固定手段で固定するようにし、電気箱とフランジ６５の対向する面の固定手段よりもハウジング３０の下部３０ａ側に位置させて，防水パッキン６８を挟持させたことから、受けコネクタ３内に設けられる複数の雌端子と、それらの雌端子に接続されて電気箱側に引き出される電線引出部と、及び嵌合検知コネクタ８の嵌合検知端子である一対の雌端子６２に接続されて電気箱側に引き出される信号配線６３の引出部を、一括して防水することができる。
【００３０】
さらに、プラグコネクタ４のハウジング４１の上部の外周縁に、受けコネクタ３のハウジング３０の上端周縁に被冠されるカバー筒部４３を形成し、カバー筒部４３と受けコネクタ３のハウジング３０の上端周縁との間に防水パッキン４３を装着させたことから、コネクタ２を構成する受けコネクタ３とプラグコネクタ４のハウジング同士を防水構造で形成することができる。
【００３１】
さらに、嵌合検知受けコネクタ６と嵌合検知プラグコネクタ７のいずれか一方の筒体の内周面又は外周面に、互いの筒体間に防水パッキン７５を装着させたことから、これによれば、嵌合検知コネクタ８の筒体内部に水が浸入するのを防ぐことができる。このように本実施形態によれば、簡素な防水構造により電源遮断装置１を大型化することなく、防水を図ることができる。
【符号の説明】
【００３２】
１  電源遮断装置
２  コネクタ
３  受けコネクタ
４  プラグコネクタ
５  操作レバー
６  嵌合検知受けコネクタ
７  嵌合検知プラグコネクタ
８  嵌合検知コネクタ
３０  ハウジング
４２  カバー
４３  カバー筒部
４９  防水パッキン
６５  フランジ
６８  防水パッキン
７１  雄端子
７２  筒体
７３  導体
７５  防水パッキン
【図１】
2014146451.tif 000003
【図２】
2014146451.tif 000004
【図３】
2014146451.tif 000005
【図４】
2014146451.tif 000006
【図５】
2014146451.tif 000007
【図６】
2014146451.tif 000008
【図７】
2014146451.tif 000009
【図８】
2014146451.tif 000010
【図９】
2014146451.tif 000011
【図１０】
2014146451.tif 000012
【図１１】
2014146451.tif 000013